(57)【要約】【課題】冬の寒い時期など、水が冷たく手荒れやひび切れなどの他、マニキュア、爪の長い人が米をとぐときに水にさわらないと米とぎができないという欠点があった。それを水にさわらないで、誰でも手軽るに、又簡単に米とぎができる容器を提供する。【解決手段】波形円筒容器本体をねじ式脱着で上部容器本体と下部容器本体に分けて、下部容器本体▲５▼に米をとぎたい分量だけ入れ上部容器本体▲３▼をはめ込む。上部容器本体▲３▼のキャップ▲１▼（ねじ式）をはずし適量の水を入れキャップ▲１▼（ねじ式）を閉め上下左右にシェイクするように動かすことで、側面の波形突起と底面の円すい形突起の作用により米とぎ効果が発生する又、容器を透明にする事により、米とぎ状態を確認できることを特徴とする。【選択図】図１
0003128708.tif 000002
【実用新案登録請求の範囲】
【請求項１】
波形円筒容器本体をねじ式脱着で上部容器本体と下部容器本体に分けて、下部容器本体▲５▼に米を研ぎたい分量だけ入れ上部容器本体▲３▼をはめ込む。上部容器本体▲３▼のキャップ▲１▼（ねじ式）をはずし適量の水を入れキャップ▲１▼（ねじ式）を閉める。その他下部容器本体▲５▼には、側面に取手▲６▼がつき、又底面には、円すい形突起▲７▼が設けてある。
以上のごとく構成された米とぎ容器。
【考案の詳細な説明】
【技術分野】
【０００１】  この考案は、加工容易な透明プラスチックを波形円筒状に加工し、その波形突起を利用し、米と水を容器に入れ、上下左右にシェイクするように動かすことにより米をとぐことができる  米とぎ容器に関するものである。
【背景技術】
【０００２】従来、米とぎと言うと昔から、手でとぐものだという観念がある為、器具を使ったりすることが少なく、またそれに関する製品も少ないのが現状である。
【考案が解決しようとする課題】
【０００３】冬の寒い時期など、水が冷たく手荒れやひび切れなどの他、マニキュア、爪の長い人が米をとぐときに水にさわらないと米とぎができないという欠点があった。
本考案は、この課題を解消するためになされたものである。
【課題を解決するための手段】
【０００４】波形円筒容器本体をねじ式脱着で上部容器本体と下部容器本体に分けて、下部容器本体▲５▼に米をとぎたい分量だけ入れ上部容器本体▲３▼をはめ込む。上部容器本体▲３▼のキャップ▲１▼（ねじ式）をはずし適量の水を入れキャップ▲１▼（ねじ式）を閉める。その他、下部容器本体▲５▼には  側面に取手▲６▼がつき、又底面には、円すい形突起▲７▼が設けてある。
以上のごとく構成された米とぎ容器。
【考案の効果】
【０００５】冬の寒い時期など、水が冷たく手荒れやひび切れなどの他、マニキュア、爪の長い人が米をとぐときに水にさわらないと米とぎができないという欠点があった。それを水にさわらないで誰でも手軽るに、又簡単に米とぎができる容器を提供する。
【考案を実施するための最良の形態】
【０００６】以下、本考案の実施の形態について説明する。
波形円筒容器本体をねじ式脱着で上部容器本体と下部容器本体に分けて、下部容器本体▲５▼に米をとぎたい分量だけ入れ上部容器本体▲３▼をはめ込む。上部容器本体▲３▼のキャップ▲１▼（ねじ式）をはずし適量の水を入れキャップ▲１▼（ねじ式）を閉める。
上下左右にシェイクするように動かすことにより、側面の波形突起と底面円すい形突起の作用により米とぎ効果が生じる。又容器が透明なので、米のとげ具合も確認でき、尚直接米に手をふれないので衛生的である。
【図面の簡単な説明】
【０００７】
【図１】  本考案の分解斜視図である
【図２】  本考案の断面図である
【図３】  本考案の平面図である
【符号の説明】
【０００８】▲１▼キャップ（ねじ式）        ▲２▼水入替用格子穴      ▲３▼上部容器本体
▲４▼米入替用脱着部（ねじ式）  ▲５▼下部容器本体        ▲６▼取手
▲７▼底面円すい形突起
【図１】
0003128708.tif 000003
【図２】
0003128708.tif 000004
【図３】
0003128708.tif 000005
【手続補正書】
【提出日】平成18年10月17日(2006.10.17)
【手続補正１】
【補正対象書類名】実用新案登録請求の範囲
【補正対象項目名】全文
【補正方法】変更
【補正の内容】
【実用新案登録請求の範囲】
【請求項１】
加工容易な透明プラスチックを波形円筒状に加工した容器本体を▲３▼上部波形容器本体と▲５▼下部波形容器本体に分けねじ式脱着とし▲３▼上部波形容器本体には水入替用格子穴を設け、▲１▼ねじ式キャップ脱着により水入替ができて▲５▼下部波形容器には底面に円すい形突起を設け側面の波形突起との構成により米とぎ容器を上下左右に動かすことで米を研ぐことができ、なお持ちやすいように▲６▼取手が付く以上の構成からなる米とぎ容器。
【手続補正書】
【提出日】平成18年10月17日(2006.10.17)
【手続補正１】
【補正対象書類名】図面
【補正対象項目名】全図
【補正方法】変更
【補正の内容】
【図１】
0003128708.tif 000006
【図２】
0003128708.tif 000007
【図３】
0003128708.tif 000008
【手続補正書】
【提出日】平成18年10月17日(2006.10.17)
【手続補正１】
【補正対象書類名】明細書
【補正対象項目名】全文
【補正方法】変更
【補正の内容】
【考案の詳細な説明】
【技術分野】
【０００１】  この考案は、加工容易な透明プラスチックを波形円筒状に加工し、その波形突起を利用し、米と水を容器に入れ、上下左右にシェイクするように動かすことにより米をとぐことができる米とぎ容器に関するものである。
【背景技術】
【０００２】従来、米とぎと言うと昔から、手でとぐものだという観念がある為、器具を使ったりすることが少なく、またそれに関する製品も少ないのが現状である。
【考案が解決しようとする課題】
【０００３】冬の寒い時期など、水が冷たく手荒れやひび切れなどの他、マニキュア、爪の長い人が米をとぐときに水にさわらないと米とぎができないという欠点があった。本考案は、この課題を解消するためになされたものである。
【課題を解決するための手段】
【０００４】波形円筒容器本体をねじ式脱着で上部波形容器本体と下部波形容器本体に分けて、▲５▼下部波形容器本体に米をとぎたい分量だけ入れ▲３▼上部波形容器本体をはめ込む。▲３▼上部波形容器本体の▲１▼ねじ式キャップをはずし適量の水を入れ▲１▼ねじ式キャップを閉める。その他▲５▼下部波形容器本体には側面に▲６▼取手がつき、又底面には▲７▼円すい形突起が設けてある。以上のごとく構成された米とぎ容器。
【考案の効果】
【０００５】冬の寒い時期など、水が冷たく手荒れやひび切れなどの他、マニキュア、爪の長い人が米をとぐときに水にさわらないと米とぎができないという欠点があった。それを水にさわらないで誰でも手軽るに、又簡単に米とぎができる容器を提供する。
【考案を実施するための最良の形態】
【０００６】以下、本考案の実施の形態について説明する。
波形円筒容器本体をねじ式脱着で上部波形容器本体と下部波形容器本体に分けて、▲５▼下部波形容器本体に米をとぎたい分量だけ入れ▲３▼上部波形容器本体をはめ込む。▲１▼ねじ式キャップをはずし適量の水を入れ▲１▼ねじ式キャップを閉める。
上下左右にシェイクするように動かすことにより、側面の波形突起と底面円すい形突起の作用により米とぎ効果が生じる。又容器が透明なので、米のとげ具合も確認でき、尚直接米に手をふれないので衛生的である。
【図面の簡単な説明】
【０００７】
【図１】  本考案の分解斜視図である
【図２】  本考案の断面図である
【図３】  本考案の平面図である
【符号の説明】
【０００８】▲１▼ねじ式キャップ    ▲２▼水入替用格子穴▲３▼上部波形容器本体▲４▼米入替用ねじ式脱着部▲５▼下部波形容器本体    ▲６▼取手    ▲７▼底面円すい形突起